(57)【要約】【課題】立ち読みや付録の脱落を有効に防止し、装着が簡便であり、陳列する書籍の商品価値を損なうことのない書籍立ち読み防止装置を提供する。【解決手段】十文字形状の帯１２を有する結束帯１１を用い、結束帯１１の十文字交差部分１３を書籍１の裏面３に配し、十文字の一方の帯１２ａを書籍１の天４と地５の方向から表紙よりも内側のページ部分１６に巻き回して結束し、十文字の他方の帯１２ｂを書籍１の背６と小口７の方向から表紙２の上に巻き回して結束してなることを特徴とする書籍立ち読み防止装置である。書籍を天地方向と小口の双方を閉じているので、立ち読みや付録の脱落を完全に防止することができる。書籍の表紙側の天地方向については表紙よりも内側のページ部分で巻き回し、表紙の記載内容を隠す部分が少ないので、陳列する書籍の商品価値を損なうことがない。【選択図】図１
2007253514.tif 000002
【特許請求の範囲】
【請求項１】
十文字形状の帯を有する結束帯を用い、結束帯の十文字交差部分を書籍の裏面に配し、十文字の一方の帯を書籍の天と地の方向から表紙よりも内側のページ部分に巻き回して結束し、十文字の他方の帯を書籍の背と小口の方向から表紙の上に巻き回して結束してなることを特徴とする書籍立ち読み防止装置。
【請求項２】
結束帯の十文字交差部分に帯の幅よりも広い広面部分を有することを特徴とする請求項１に記載の書籍立ち読み防止装置。
【請求項３】
結束帯が有する帯の一方又は両方は、前記広面部分に開けたスリットを通過することによって広面部分に固定されてなることを特徴とする請求項２に記載の書籍立ち読み防止装置。
【請求項４】
前記広面部分にポケットを有することを特徴とする請求項２に記載の書籍立ち読み防止装置。
【請求項５】
結束帯の表面に広告を印刷してなることを特徴とする請求項１乃至４のいずれかに記載の書籍立ち読み防止装置。
【請求項６】
２本の帯をその長手方向で重ね合わせた二重帯と、幅広テープバンドとを用い、二重帯の中央部分を書籍の途中ページに天地方向に挟み込み、二重帯の一方の帯を書籍の任意のページ部分（以下「第１巻き回しページ」という。）に巻き回し、二重帯の他方の帯を書籍の別の任意のページ（以下「第２巻き回しページ」という。）に巻き回し、幅広テープバンドを書籍の小口から第１巻き回しページと第２巻き回しページとに折り込み、第１巻き回しページにおいて一方の帯の両端と幅広テープバンドの３者を結束し、第２巻き回しページにおいて他方の帯の両端と幅広テープバンドの３者を結束してなることを特徴とする書籍立ち読み防止装置。
【請求項７】
帯と幅広テープバンドとを用い、帯の中央部と幅広テープバンドの一方の端部とを書籍の任意のページ部分（以下「第１巻き回しページ」という。）に挟み込み、帯を書籍の別の任意のページ（以下「第２巻き回しページ」という。）に巻き回し、天と地の一方又は両方において、第１巻き回しページと第２巻き回しページの間の１又は２以上の中間折り込みページに帯の途中部を折り込み、幅広テープバンドを書籍の小口から第１巻き回しページと第２巻き回しページとに折り込み、第１巻き回しページにおいて帯と幅広テープバンドを結束し、第２巻き回しページにおいて帯の両端と幅広テープバンドの３者を結束してなることを特徴とする書籍立ち読み防止装置。
【請求項８】
帯の中央部と幅広テープバンドの端部とをあらかじめ接合し、あるいは両者を一体に形成してなることを特徴とする請求項７に記載の書籍立ち読み防止装置。
【請求項９】
前記第１巻き回しページと第２巻き回しページの一方又は両方が、書籍の最表面であることを特徴とする請求項６乃至８のいずれかに記載の書籍立ち読み防止装置。
【請求項１０】
前記幅広テープバンドと二重帯あるいは帯の一方又は両方の表面に広告を印刷してなることを特徴とする請求項６乃至９のいずれかに記載の書籍立ち読み防止装置。
【請求項１１】
結束板と２本の紐とを用い、結束板は放射状に４方向にくびれ部を有し、さらに紐の端部を止めるための切り込みを４箇所有し、結束板を書籍の裏面に配し、第１のくびれ部に第１の紐を引っかけ、その紐を書籍の天と地の方向から表紙よりも内側のページ（以下「天地巻き回しページ」という。）部分に巻き回して、第１のくびれ部と対角線方向の第２のくびれ部にその紐を引っかけ、紐の両方の端部を前記切り込みに掛けて止め、第１、第２のくびれ部とは別の第３のくびれ部に第２の紐を引っかけ、その紐を書籍の背と小口の方向から表紙の上に巻き回して、第３のくびれ部と対角線方向の第４のくびれ部にその紐を引っかけ、紐の両方の端部を前記切り込みに掛けて止めてなることを特徴とする書籍立ち読み防止装置。
【請求項１２】
結束板と紐とを用い、結束板は放射状に４箇所に紐結束用杭を有し、杭の頂部にはリブを有し、２以上のリブはその周部に紐の端部を止めるための切り込みを有し、結束板を書籍の裏面に配し、第１の紐結束杭に紐を巻き回し、その紐を書籍の天と地の方向から表紙よりも内側のページ（以下「天地巻き回しページ」という。）部分に巻き回して、第１の紐結束杭と対角線方向の第２の紐結束杭にその紐を巻き回し、さらにその紐を第２の紐結束杭に隣接する第３の紐結束杭に巻き回し、その紐を書籍の背と小口の方向から表紙の上に巻き回して、第３の紐結束杭と対角線方向の第４の紐結束杭にその紐を巻き回し、紐の一方又は両方の端部を前記切り込みに掛けて止めてなることを特徴とする書籍立ち読み防止装置。
【請求項１３】
結束板と２本の紐とを用い、結束板は、厚みの薄い軸を軸より直径の大きい２枚のリブ板で挟んだ形状を有し、紐はその一部又は全部が伸び縮みする弾性体であり、紐の両方の端部が輪を形成するか又は紐自身が輪の形状であり、結束板を書籍の裏面に配し、結束板の２枚のリブ板の間に第１の紐の輪の部分を巻き回し、その紐を書籍の天と地の方向から表紙よりも内側のページ（以下「天地巻き回しページ」という。）部分に巻き回して、紐の他方の端部の輪の部分を結束板の２枚のリブ板の間に巻き回し、結束板の２枚のリブ板の間に第２の紐の輪の部分を巻き回し、その紐を書籍の背と小口の方向から表紙の上に巻き回して、紐の他方の端部の輪の部分を結束板の２枚のリブ板の間に巻き回してなることを特徴とする書籍立ち読み防止装置。
【請求項１４】
前記天地巻き回しページが表紙の表面であることを特徴とする請求項１１乃至１３のいずれかに記載の書籍立ち読み防止装置。
【請求項１５】
前記結束板の表面に広告を印刷してなることを特徴とする請求項１１乃至１４のいずれかに記載の書籍立ち読み防止装置。
【発明の詳細な説明】
【技術分野】
【０００１】
本発明は、一般書籍、雑誌、カタログ冊子等の書籍について、店頭での立ち読みなどを防止することのできる書籍立ち読み防止装置に関するものである。
【背景技術】
【０００２】
従来から、書店やコンビニエンスストアで一般書籍、雑誌、カタログ冊子等の書籍を販売・頒布するに際し、店頭での立ち読みなどを防止するために、また付録などの散逸を防止するために、書籍を透明フィルムでラップしたり、また細紐で結束するなどしている。
【０００３】
書籍を細紐で結束する場合、１冊当たり結束作業に２０〜３０秒を要し、作業効率が良くない。また、細紐で結束した形で店頭に展示するのでは、書籍の見栄えが良くない。
【０００４】
特許文献１には、書籍や雑誌やカタログ冊子など小口を有する印刷物において、その表紙又は表紙側の特定の頁と裏表紙又は裏表紙側の特定の頁との小口側の端部に、小口に相当する部分を介して、剥がすことができないように小口封緘シールが貼着されていることを特徴とする小口を有する印刷物が記載されている。これにより、書籍や雑誌やカタログ冊子などの、店頭での立ち読みなどを防止するとともに、著作内容の全部又は一部分を隠蔽して、著作権などを保護することができる、また小口封緘シールを切断して開封しても、書籍や雑誌やカタログ冊子などの体裁を損なうことが少ない、小型の小口封緘シールを提供することができるとしている。
【０００５】
特許文献２には、書籍本体のおもて表紙側の任意の場所の一部を上方に開き、下方に残ったウラ表紙側は、ウラ表紙だけを下方に開き、場合によりウラ表紙側の残った本体の一部も下方に開き、残った本体の任意の場所を、任意の場所にミシン目を有する結束材で、任意の方法でハチ巻き状に結束し、結束材の両端を、任意の場所で仟意の方法で締め付け固定結束し、任意の方法で止める、必要により、結束材の任意の場所に、印刷も出来るようにした書籍立ち読み防止装置が記載されている。特許文献２の図１によると、書籍本体の任意のページ間において、書籍の天地方向に結束材を周回してページ間を結束する様子が示されている。また、図８、９によると、書籍の表紙と裏表紙を含めた全体について、書籍の天地方向に結束材を周回し、あるいは書籍の背と小口の方向に結束材を周回し、書籍全体を結束する様子が示されている。
【０００６】
【特許文献１】特開２００２−１８７３７９号公報
【特許文献２】特開２００５−６７１８４号公報
【発明の開示】
【発明が解決しようとする課題】
【０００７】
特許文献１に記載の方法によると、書籍のしかるべきページの小口側の端部に、剥がすことができないように小口封緘シールが貼着することとなる。書籍購入者がこの書籍を読むためには、小口封緘シールをハサミなどで切断する必要があり、切断した後のシールが書籍に残ってしまう。これでは、書籍の商品価値を著しく損なうこととなり、採用することができない。
【０００８】
特許文献２に記載の方法で、図１〜図９に記載のいずれの方法を採用した場合でも、書籍の中に挟み込まれた付録の脱落を防止することができず、また立ち読みを完全に防止することも困難である。
【０００９】
本発明は、立ち読みや付録の脱落を有効に防止し、装着が簡便であり、陳列する書籍の商品価値を損なうことのない書籍立ち読み防止装置を提供することを目的とする。本発明は併せて、広く地域社会の商店、個人、会社、官公庁、組合、団体、出版社、書籍等のＰＲ効果、販売店や書籍のＰＲ効果を発揮することのできる書籍立ち読み防止装置を提供することをも目的とする。
【課題を解決するための手段】
【００１０】
即ち、本発明の要旨とするところは以下のとおりである。
（１）十文字形状の帯１２を有する結束帯１１を用い、結束帯１１の十文字交差部分１３を書籍１の裏面３に配し、十文字の一方の帯１２ａを書籍１の天４と地５の方向から表紙よりも内側のページ部分１６に巻き回して結束し、十文字の他方の帯１２ｂを書籍１の背６と小口７の方向から表紙２の上に巻き回して結束してなることを特徴とする書籍立ち読み防止装置。
（２）結束帯１１の十文字交差部分１３に帯１２の幅よりも広い広面部分１４を有することを特徴とする上記（１）に記載の書籍立ち読み防止装置。
（３）結束帯１１が有する帯１２の一方又は両方は、広面部分１４に開けたスリット１５を通過することによって広面部分に固定されてなることを特徴とする上記（２）に記載の書籍立ち読み防止装置。
（４）広面部分１４にポケット１７を有することを特徴とする上記（２）に記載の書籍立ち読み防止装置。
（５）結束帯１１の表面に広告６２を印刷してなることを特徴とする上記（１）乃至（４）のいずれかに記載の書籍立ち読み防止装置。
【００１１】
（６）２本の帯をその長手方向で重ね合わせた二重帯２１と、幅広テープバンド２４とを用い、二重帯２１の中央部分を書籍の途中ページ２６に天地方向に挟み込み、二重帯２１の一方の帯２２を書籍の任意のページ部分（以下「第１巻き回しページ２７」という。）に巻き回し、二重帯の他方の帯２３を書籍の別の任意のページ（以下「第２巻き回しページ２８」という。）に巻き回し、幅広テープバンド２４を書籍の小口７から第１巻き回しページ２７と第２巻き回しページ２８とに折り込み、第１巻き回しページ２７において一方の帯２２の両端と幅広テープバンド２４の３者を結束し、第２巻き回しページ２８において他方の帯２３の両端と幅広テープバンド２４の３者を結束してなることを特徴とする書籍立ち読み防止装置。
（７）帯２５と幅広テープバンド２４とを用い、帯２５の中央部と幅広テープバンド２４の一方の端部とを書籍の任意のページ部分（以下「第１巻き回しページ２７」という。）に挟み込み、帯２５を書籍の別の任意のページ（以下「第２巻き回しページ２８」という。）に巻き回し、天４と地５の一方又は両方において、第１巻き回しページ２７と第２巻き回しページ２８の間の１又は２以上の中間折り込みページ２９に帯の途中部を折り込んで折り込み部３０を形成し、幅広テープバンド２４を書籍の小口７から第１巻き回しページ２７と第２巻き回しページ２８とに折り込み、第１巻き回しページ２７において帯２５と幅広テープバンド２４を結束し、第２巻き回しページ２８において帯２５の両端と幅広テープバンド２４の３者を結束してなることを特徴とする書籍立ち読み防止装置。
（８）帯２５の中央部と幅広テープバンド２４の端部とをあらかじめ接合し、あるいは両者を一体に形成してなることを特徴とする上記（７）に記載の書籍立ち読み防止装置。
（９）第１巻き回しページ２７と第２巻き回しページ２８の一方又は両方が、書籍の最表面であることを特徴とする上記（６）乃至（８）のいずれかに記載の書籍立ち読み防止装置。
（１０）幅広テープバンド２４と二重帯２１あるいは帯２５の一方又は両方の表面に広告６２を印刷してなることを特徴とする上記（６）乃至（９）のいずれかに記載の書籍立ち読み防止装置。
【００１２】
（１１）結束板３１と２本の紐３４とを用い、結束板３１は放射状に４方向にくびれ部３５を有し、さらに紐４の端部を止めるための切り込み３６を４箇所有し、結束板３１を書籍の裏面３に配し、第１のくびれ部３５ａに第１の紐３４ａを引っかけ、その紐３４ａを書籍の天４と地５の方向から表紙よりも内側のページ（以下「天地巻き回しページ４１」という。）部分に巻き回して、第１のくびれ部３５ａと対角線方向の第２のくびれ部３５ｂにその紐３４ａを引っかけ、紐３４ａの両方の端部を切り込み（３６ａ、３６ｂ）に掛けて止め、第１、第２のくびれ部とは別の第３のくびれ部３５ｃに第２の紐３４ｂを引っかけ、その紐３５ｂを書籍の背６と小口７の方向から表紙２の上に巻き回して、第３のくびれ部３５ｃと対角線方向の第４のくびれ部３５ｄにその紐３４ｂを引っかけ、紐３４ｂの両方の端部を切り込み（３６ｃ、３６ｄ）に掛けて止めてなることを特徴とする書籍立ち読み防止装置。
（１２）結束板３２と紐３４とを用い、結束板３２は放射状に４箇所に紐結束用杭４２を有し、杭４３の頂部にはリブ４４を有し、２以上のリブ４４はその周部に紐の端部を止めるための切り込み３７を有し、結束板３２を書籍の裏面３に配し、第１の紐結束杭４２ａに紐３４を巻き回し、その紐３４を書籍の天４と地５の方向から表紙よりも内側のページ（以下「天地巻き回しページ４１」という。）部分に巻き回して、第１の紐結束杭４２ａと対角線方向の第２の紐結束杭４２ｂにその紐３４を巻き回し、さらにその紐３４を第２の紐結束杭に隣接する第３の紐結束杭４２ｃに巻き回し、その紐３４を書籍の背６と小口７の方向から表紙２の上に巻き回して、第３の紐結束杭と対角線方向の第４の紐結束杭４２ｄにその紐３４を巻き回し、紐３４の一方又は両方の端部を切り込み３７に掛けて止めてなることを特徴とする書籍立ち読み防止装置。
（１３）結束板３３と２本の紐３４とを用い、結束板３３は、厚みの薄い軸４５を軸より直径の大きい２枚のリブ板４６で挟んだ形状を有し、紐３４はその一部又は全部が伸び縮みする弾性体であり、紐３４の両方の端部が輪４７を形成するか又は紐自身が輪４８の形状であり、結束板３３を書籍の裏面３に配し、結束板３３の２枚のリブ板４６の間に第１の紐３４ａの輪の部分を巻き回し、その紐３４ａを書籍の天４と地５の方向から表紙よりも内側のページ（以下「天地巻き回しページ４１」という。）部分に巻き回して、紐３４ａの他方の端部の輪の部分を結束板３３の２枚のリブ板４６の間に巻き回し、結束板３３の２枚のリブ板４６の間に第２の紐３４ｂの輪の部分を巻き回し、その紐３４ｂを書籍の背６と小口７の方向から表紙２の上に巻き回して、紐３４ｂの他方の端部の輪の部分を結束板３３の２枚のリブ板４６の間に巻き回してなることを特徴とする書籍立ち読み防止装置。
（１４）天地巻き回しページ４１が表紙２の表面であることを特徴とする上記（１１）乃至（１３）のいずれかに記載の書籍立ち読み防止装置。
（１５）結束板の表面に広告６２を印刷してなることを特徴とする上記（１０）乃至（１３）のいずれかに記載の書籍立ち読み防止装置。
【００１３】
なお、本発明において書籍１とは、一般書籍とともに、雑誌、カタログ冊子等を含むものとする。
【００１４】
また、本発明の書籍立ち読み防止方法は以下のとおりである。
（２１）十文字形状の帯１２を有する結束帯１１を用い、結束帯１１の十文字交差部分１３を書籍１の裏面３に配し、十文字の一方の帯１２ａを書籍１の天４と地５の方向から表紙よりも内側のページ部分１６に巻き回して結束し、十文字の他方の帯１２ｂを書籍１の背６と小口７の方向から表紙２の上に巻き回して結束することを特徴とする書籍立ち読み防止方法。
（２２）結束帯１１の十文字交差部分１３に帯１２の幅よりも広い広面部分１４を有することを特徴とする上記（２１）に記載の書籍立ち読み防止方法。
（２３）結束帯１１が有する帯１２の一方又は両方は、広面部分１４に開けたスリット１５を通過することによって広面部分に固定することを特徴とする上記（２）に記載の書籍立ち読み防止方法。
（２４）広面部分１４にポケット１７を有することを特徴とする上記（２２）に記載の書籍立ち読み防止方法。
（２５）結束帯１１の表面に広告６２を印刷することを特徴とする上記（２１）乃至（２４）のいずれかに記載の書籍立ち読み防止方法。
【００１５】
（２６）２本の帯をその長手方向で重ね合わせた二重帯２１と、幅広テープバンド２４とを用い、二重帯２１の中央部分を書籍の途中ページ２６に天地方向に挟み込み、二重帯２１の一方の帯２２を書籍の任意のページ部分（以下「第１巻き回しページ２７」という。）に巻き回し、二重帯の他方の帯２３を書籍の別の任意のページ（以下「第２巻き回しページ２８」という。）に巻き回し、幅広テープバンド２４を書籍の小口７から第１巻き回しページ２７と第２巻き回しページ２８とに折り込み、第１巻き回しページ２７において一方の帯２２の両端と幅広テープバンド２４の３者を結束し、第２巻き回しページ２８において他方の帯２３の両端と幅広テープバンド２４の３者を結束することを特徴とする書籍立ち読み防止方法。
（２７）帯２５と幅広テープバンド２４とを用い、帯２５の中央部と幅広テープバンド２４の一方の端部とを書籍の任意のページ部分（以下「第１巻き回しページ２７」という。）に挟み込み、帯２５を書籍の別の任意のページ（以下「第２巻き回しページ２８」という。）に巻き回し、天４と地５の一方又は両方において、その前に第１巻き回しページ２７と第２巻き回しページ２８の間の１又は２以上の中間折り込みページ２９に帯の途中部を折り込んで折り込み部３０を形成し、幅広テープバンド２４を書籍の小口７から第１巻き回しページ２７と第２巻き回しページ２８とに折り込み、第１巻き回しページ２７において帯２５と幅広テープバンド２４を結束し、第２巻き回しページ２８において帯２５の両端と幅広テープバンド２４の３者を結束することを特徴とする書籍立ち読み防止方法。
（２８）帯２５の中央部と幅広テープバンド２４の端部とをあらかじめ接合し、あるいは両者を一体に形成することを特徴とする上記（２７）に記載の書籍立ち読み防止方法。
（２９）第１巻き回しページ２７と第２巻き回しページ２８の一方又は両方が、書籍の最表面であることを特徴とする上記（２６）乃至（２８）のいずれかに記載の書籍立ち読み防止方法。
（３０）幅広テープバンド２４と二重帯２１あるいは帯２５の一方又は両方の表面に広告６２を印刷することを特徴とする上記（２６）乃至（２９）のいずれかに記載の書籍立ち読み防止方法。
【００１６】
（３１）結束板３１と２本の紐３４とを用い、結束板３１は放射状に４方向にくびれ部３５を有し、さらに紐４の端部を止めるための切り込み３６を４箇所有し、結束板３１を書籍の裏面３に配し、第１のくびれ部３５ａに第１の紐３４ａを引っかけ、その紐３４ａを書籍の天４と地５の方向から表紙よりも内側のページ（以下「天地巻き回しページ４１」という。）部分に巻き回して、第１のくびれ部３５ａと対角線方向の第２のくびれ部３５ｂにその紐３４ａを引っかけ、紐３４ａの両方の端部を切り込み（３６ａ、３６ｂ）に掛けて止め、第１、第２のくびれ部とは別の第３のくびれ部３５ｃに第２の紐３４ｂを引っかけ、その紐３５ｂを書籍の背６と小口７の方向から表紙２の上に巻き回して、第３のくびれ部３５ｃと対角線方向の第４のくびれ部３５ｄにその紐３４ｂを引っかけ、紐３４ｂの両方の端部を切り込み（３６ｃ、３６ｄ）に掛けて止めることを特徴とする書籍立ち読み防止方法。
（３２）結束板３２と紐３４とを用い、結束板３２は放射状に４箇所に紐結束用杭４２を有し、杭４３の頂部にはリブ４４を有し、２以上のリブ４４はその周部に紐の端部を止めるための切り込み３７を有し、結束板３２を書籍の裏面３に配し、第１の紐結束杭４２ａに紐３４を巻き回し、その紐３４を書籍の天４と地５の方向から表紙よりも内側のページ（以下「天地巻き回しページ４１」という。）部分に巻き回して、第１の紐結束杭４２ａと対角線方向の第２の紐結束杭４２ｂにその紐３４を巻き回し、さらにその紐３４を第２の紐結束杭に隣接する第３の紐結束杭４２ｃに巻き回し、その紐３４を書籍の背６と小口７の方向から表紙２の上に巻き回して、第３の紐結束杭と対角線方向の第４の紐結束杭４２ｄにその紐３４を巻き回し、紐３４の一方又は両方の端部を切り込み３７に掛けて止めることを特徴とする書籍立ち読み防止方法。
（３３）結束板３３と２本の紐３４とを用い、結束板３３は、厚みの薄い軸４５を軸より直径の大きい２枚のリブ板４６で挟んだ形状を有し、紐３４はその一部又は全部が伸び縮みする弾性体であり、紐３４の両方の端部が輪４７を形成するか又は紐自身が輪４８の形状であり、結束板３３を書籍の裏面３に配し、結束板３３の２枚のリブ板４６の間に第１の紐３４ａの輪の部分を巻き回し、その紐３４ａを書籍の天４と地５の方向から表紙よりも内側のページ（以下「天地巻き回しページ４１」という。）部分に巻き回して、紐３４ａの他方の端部の輪の部分を結束板３３の２枚のリブ板４６の間に巻き回し、結束板３３の２枚のリブ板４６の間に第２の紐３４ｂの輪の部分を巻き回し、その紐３４ｂを書籍の背６と小口７の方向から表紙２の上に巻き回して、紐３４ｂの他方の端部の輪の部分を結束板３３の２枚のリブ板４６の間に巻き回すことを特徴とする書籍立ち読み防止方法。
（３４）天地巻き回しページ４１が表紙２の表面であることを特徴とする上記（３１）乃至（３３）のいずれかに記載の書籍立ち読み防止方法。
（３５）結束板の表面に広告６２を印刷することを特徴とする上記（３０）乃至（３３）のいずれかに記載の書籍立ち読み防止方法。
【発明の効果】
【００１７】
本発明の書籍立ち読み防止装置は、書籍を天地方向と小口の双方を閉じているので、立ち読みや付録の脱落を完全に防止することができる。本発明はまた、結束に帯を用いる場合であっても、書籍の表紙側の天地方向については表紙よりも内側のページ部分で巻き回すこととすると、表紙の記載内容を隠す部分が少ないので、陳列する書籍の商品価値を損なうことがない。本発明はさらに、立ち読み防止装置の結束帯や広面部分等に広告を印刷することにより、広く地域社会の商店、個人、会社、官公庁、組合、団体、出版社、書籍等のＰＲ効果、販売店や書籍のＰＲ効果を発揮することができる。
【発明を実施するための最良の形態】
【００１８】
本発明の第１の実施の形態を図１〜図４に基づいて説明する。
【００１９】
第１の実施の形態の書籍立ち読み防止装置は、十文字形状の帯を有する結束帯１１を用いて結束を行う。図１（ａ）に示すように、結束帯１１の十文字交差部分１３を書籍の裏面に配置する。まず第１に、図１（ｂ）に示すように、表紙２及び必要に応じて表紙側の何枚かのページを開いた状態として表紙よりも内側のページ１６を開き、十文字の一方の帯（書籍の天地方向に配置した帯１２ａ）を書籍の天４と地５の方向から表紙よりも内側のページ１６部分に巻き回して結束する。結束は、天４の側と地５の側から巻き回して重なった帯１２ａの両端を接続することによって行う。接続は、セロファンテープなどの粘着テープを用いて行うことができる。帯１２ａの端部にあらかじめ粘着テープを配置しておくこととしても良い。第２に、図１（ｃ）に示すように、表紙２を含めて書籍のページを閉じ、十文字の他方の帯（書籍の背と小口の方向に配置した帯１２ｂ）を書籍の背６と小口７の方向から表紙２の上に巻き回して結束する。結束方法は、天地方向の帯を結束した方法と同様とすることができる。
【００２０】
本発明は以上の構成により、書籍の天４と地５と小口７の３方が帯１２で閉じられるので、立ち読みが不可能になるのに加え、書籍の間に挟み込まれた付録６１がいずれの方向からも脱落することがない。また、書籍１の表紙側については、背６と小口７の方向に周回する帯１２ｂのみが存在し、天地方向の帯１２ａは表紙表面に現れていないので、表紙２の記載部分を隠蔽する比率を少なくすることができ、陳列する書籍の商品価値を損なうことがない。
【００２１】
本発明は、紐で結束する従来方法に比較し、作業をきわめて簡便化することができる。また、書籍の購入者が書籍を読むに際し、帯１２をハサミなどで切断すれば直ちに読むことができ、かつ書籍１にはなんら立ち読み防止装置が残存しないので、商品価値を損なうことがない。
【００２２】
上記本発明の書籍立ち読み防止装置は、図２（ａ）に示すように、結束帯１１の十文字交差部分１３に帯１２の幅よりも広い広面部分１４を有することとすると好ましい。
【００２３】
図２（ｃ）に示すように、結束帯１１の広面部分１４と２本の帯１２とを別々に用意し、組み合わせて用いることができる。広面部分１４に帯を通すことのできるスリット１５を配置し、このスリット１５に帯１２を通し、十文字形状の帯を有する結束帯１１とする。図２（ｂ）に示すように、一方の帯１２ｂと広面部分１４とを一体として形成し、広面部分にもう１本の帯１２ａを通すことのできるスリット１５を配置し、このスリット１５に帯１２ａを通し、十文字形状の帯を有する結束帯１１としてもよい。
【００２４】
図３（ａ）に示すように、結束帯１１の広面部分１４にポケット１７を設けると好ましい。ポケット１７は、図３（ｂ）に示すように、各社の宣伝用葉書１８等が入る大きさとする。
【００２５】
結束帯１１の材質としては、紙、プラスチック、ビニールから選択することができる。
【００２６】
上記本発明の結束帯１１の表面に広告６２を印刷すると好ましい。
【００２７】
図４（ａ）に示すように、結束帯のうち、書籍１の表紙２に現れる帯１２ｂの部分に広告６２を印刷しておけば、書籍１を陳列した際に来店者の目に触れ、広告効果を発揮することができる。書籍の裏表紙に現れる帯（天地方向と背と小口間の両方）についても広告を印刷しておけば、書籍を手に取った来店者の目に触れることができる。さらに、結束帯の十文字交差部分に広面部分を有する本発明の場合には、図４（ｂ）に示すように、この広面部分１４に広告６２を印刷することにより、帯の部分にまして多彩な広告を表示することが可能となるので、広告効果を発揮することができる。
【００２８】
チェーン展開するコンビニエンスストアにおいては、ストアのシンボルカラーを複数色のストライプ表現とし、ストアの入口上部に横方向に目立つように表示することが多い。来店者にとって、そのストライプがコンビニエンスストアのシンボルカラーであることは周知著名である。このようなシンボルカラーのストライプを、本発明の結束帯の帯に印刷しておけば、図４（ａ）に示すように、一目でそのコンビニエンスストアのストライプであることを認識することができ、ストアの広告効果を発揮することができる。
【００２９】
本発明の第２の実施の形態を図５〜図１０に基づいて説明する。
【００３０】
第２の実施の形態の書籍立ち読み防止装置（第１の態様）は、図５〜図７に示すように、２本の帯（２２、２３）をその長手方向で重ね合わせた二重帯２１と、幅広テープバンド２４とを用いる。二重帯２１は、あらかじめその長手方向中央部分で貼り合わせておくと好ましい。まず図５（ａ）に示すように、二重帯２１の中央部分を書籍の任意の途中ページ２６に天地方向に挟み込む。書籍の天４と地５にはともに、二重帯２１の端部が顔を出している。次に図５（ｂ）に示すように、書籍の任意のページ部分（第１巻き回しページ２７）を開いた状態とし、二重帯の一方の帯２２（図５の場合は表紙２側に配置された方の帯２２）の端部を、天４と地５の両方とも、第１巻き回しページ２７に巻き回す。ここにおいて、巻き回された帯２２の両方の端部と重なるように、幅広テープバンド２４を第１巻き回しページ２７に配置する。配置位置としては、配置した幅広テープバンド２４を書籍の小口７から折り込むことにより、裏表紙側まで折り込むことが可能なように配置する。ここで、第１巻き回しページ２７において帯２２の両端と幅広テープバンド２４の３者を結束する。結束方法としては、帯の一方の端部と幅広テープバンドとをセロファンテープで結合し、帯の他方の端部と幅広テープバンド（又は帯の一方の端部）とをセロファンテープで結合する方法を用いることができる。あらかじめ、帯の端部又は幅広テープバンドに粘着剤を塗布しておいても良い。さらに図５（ｃ）に示すように、書籍の任意のページ（第２巻き回しページ２８）を開いた状態とする。図５（ａ）（ｂ）に対し、図５（ｃ）は表紙２と裏表紙３の向きがひっくり返っている。二重帯２１の他方の帯２３（図５の場合は裏表紙側に配置された方の帯）の端部を、天４と地５の両方とも、第２巻き回しページ２８に巻き回す。配置した幅広テープバンド２４を書籍の小口７から第２巻き回しページ２８と第１巻き回しページ２７とに折り込む。第２巻き回しページ２８において帯２３の両端と幅広テープバンド２４の３者を結束する。結束方法は、第１巻き回しページにおいて帯の両端と幅広テープバンドの３者を結束した方法と同様とすることができる。最初に二重帯２１を挟み込む途中ページ２６は、第１巻き回しページ２７と第２巻き回しページ２８との間のページとする。
【００３１】
付録６１を書籍１に挟み込む場合、付録６１を挟み込むページは、第１巻き回しページ２７と第２巻き回しページ２８との間のページとする。
【００３２】
上記本発明の書籍立ち読み防止装置は、書籍の天４と地５に帯が巻き回され、小口７には幅広テープバンド２４が配置されているので、書籍１の内部のページを立ち読みすることができないと同時に、挟み込まれた付録６１が脱落することがない。また図６に示すように、立ち読み防止装置の帯（２１、２２）が表紙２にも裏表紙３にも現れないので、陳列した書籍の商品価値を一切損なうことがない。
【００３３】
本発明は、紐で結束する従来方法に比較し、作業をきわめて簡便化することができる。また、書籍の購入者が書籍を読むに際し、帯をハサミなどで切断すれば直ちに読むことができ、かつ書籍にはなんら立ち読み防止装置が残存しないので、商品価値を損なうことがない。
【００３４】
単一の帯を第１巻き回しページと第２巻き回しページとの間で巻き回し、幅広テープバンドを書籍の小口から第１巻き回しページと第２巻き回しページとに折り込み、それぞれのページで帯と幅広テープバンドを結束することによっても、書籍の天地と小口を封緘することができる。しかしこの方法では、巻き回した帯が書籍の小口の方向に移動することが可能であり、最終的には小口部分で帯が書籍から外れてしまうこととなる。
【００３５】
これに対し、上記本発明においては、二重帯２１が書籍の任意の途中ページ２６に挟み込まれており、ページ間で圧迫されるので書籍の中で二重帯２１が移動しづらくなっている。そのため、天地間に巻き回した帯が、書籍の小口方向にずれて移動することを防止することができる。従って、二重帯２１と幅広テープバンド２４とが書籍の小口部分から外れることがないので、安定して立ち読み防止装置として機能することができる。
【００３６】
第２の実施の形態の書籍立ち読み防止装置（第２の態様）を図８〜図１０に基づいて説明する。
【００３７】
第２の態様においては、帯２５と幅広テープバンド２４とを用いる。図８（ａ）に示すように、帯２５の中央部と幅広テープバンド２４の一方の端部とを書籍の任意のページ部分（第１巻き回しページ２７）に挟み込む。書籍の天４と地５にはともに、帯２５の端部が顔を出している。また書籍の小口７には幅広テープバンド２４が顔を出している。次に、書籍の天４と地５の一方又は両方において、第１巻き回しページ２７と第２巻き回しページ２８の間の１又は２以上の中間折り込みページ２９に帯の途中部を折り込む。図８（ｂ）では、第１の中間折り込みページ２９ａを開いた状態とし、天４と地５の両方とも、折り込み部３０ａを設けている。図８（ｃ）では、第２の中間折り込みページ２９ｂを開いた状態とし、天４と地５の両方とも、折り込み部３０ｂを設けている。さらに図９（ａ）に示すように、書籍の別の任意のページ（第２巻き回しページ２８）を開いた状態とし、帯２５の両端を第２巻き回しページ２８に巻き回し、幅広テープバンド２４を書籍の小口７から第１巻き回しページ２７と第２巻き回しページ２８とに折り込む。第１巻き回しページ２７において帯２５と幅広テープバンド２４を結束し、第２巻き回しページ２８において帯２５の両端と幅広テープバンド２４の３者を結束する。
【００３８】
帯２５の中央部と幅広テープバンド２４の端部との間は、第１巻き回しページ２７に配置する前にあらかじめ接合しておくと、作業が簡便化するので好ましい。あるいは両者を一体に形成しておいても良い。
【００３９】
上記第２の態様は、第１の態様と同様、書籍の天４と地５に帯２５が巻き回され、小口７には幅広テープバンド２４が配置されているので、書籍の内部のページを立ち読みすることができないと同時に、挟み込まれた付録６１が脱落することがない。図９（ｂ）に示すように、立ち読み防止装置の帯２５が表紙２にも裏表紙３にも現れないので、陳列した書籍の商品価値を一切損なうことがない。また同様に、紐で結束する従来方法に比較し、作業をきわめて簡便化することができる。また、書籍の購入者が書籍を読むに際し、帯をハサミなどで切断すれば直ちに読むことができ、かつ書籍にはなんら立ち読み防止装置が残存しないので、商品価値を損なうことがない。
【００４０】
第２の態様はまた、書籍の天と地の一方又は両方において、第１巻き回しページと第２巻き回しページの間の中間折り込みページ３０に帯２５の途中部を折り込んで折り込み部３０を形成している。この折り込み部３０はページ間で圧迫されるので書籍の中で帯２５が移動しづらくなっている。そのため、天地間に巻き回した帯２５が、書籍の小口方向にずれて移動することを防止することができる。従って、帯２５と幅広テープバンド２４とが書籍の小口部分から外れることがないので、安定して立ち読み防止装置として機能することができる。
【００４１】
以上の第２の実施の形態において、第１巻き回しページと第２巻き回しページは、ともに任意のページとし、書籍の最表面には配置しない形態とした。これにより、書籍の表紙及び裏表紙に何ら帯が露出せず、陳列した書籍の商品価値を一切損なわないので好適であるとした。それに対し、第１巻き回しページと第２巻き回しページの一方又は両方が、書籍の最表面であることとしても良い。図７（ａ）図１０（ａ）に示すように、裏表紙３のみに帯が露出する場合には、少なくとも表紙２には帯が一切露出しないので、陳列した書籍には帯が見えない。書籍１を手に取った来店者は、裏表紙３の帯には気づくこととなる。もちろん、表紙と裏表紙の両方に帯が露出することとしても良い。本発明の立ち読み防止機能及び挟み込んだ付録の脱落を防止する機能は完全に発揮される。
【００４２】
二重帯、帯、幅広テープバンドの材質としては、紙、プラスチック、ビニールの中から選択することができる。
【００４３】
第２の実施の態様はまた、図７（ｂ）図１０（ｂ）に示すように、幅広テープバンド２４と二重帯２１あるいは帯２５の一方又は両方の表面に広告６２を印刷すると好ましい。
【００４４】
幅広テープバンドの小口部分に広告を印刷しておけば、書籍を陳列した際に来店者の目に触れ、広告効果を発揮することができる。第１巻き回しページ２７や第２巻き回しページ２８部分に現れる帯や幅広テープバンド２５についても広告６２を印刷しておけば、書籍を手に取った来店者の目に触れることができる。さらに、第１巻き回しページや第２巻き回しページが書籍の最表面に露出する態様においては、この露出部分の帯や幅広テープバンドに広告を印刷することにより、陳列時に強い印象を与えることができるので、広告効果を発揮することができる。
【００４５】
チェーン展開するコンビニエンスストアにおいては、ストアのシンボルカラーを複数色のストライプ表現とし、ストアの入口上部に横方向に目立つように表示することが多い。来店者にとって、そのストライプがコンビニエンスストアのシンボルカラーであることは周知著名である。このようなシンボルカラーのストライプを、図７（ｂ）図１０（ｂ）に示すように、本発明の帯や幅広テープバンドに印刷しておけば、一目でそのコンビニエンスストアのストライプであることを認識することができ、ストアの広告効果を発揮することができる。
【００４６】
本発明の第３の実施の形態を図１１〜図１７に基づいて説明する。
【００４７】
第３の実施の形態の書籍立ち読み防止装置（第１の態様）は、図１１、図１２に示すように、結束板３１と２本の紐３４とを用いる。結束板３１は放射状に４方向にくびれ部３５を有し、さらに紐３４の端部を止めるための切り込み３６を４箇所有する。まず図１２（ａ）に示すように、結束板３１を書籍１の裏面３に配置する。第１のくびれ部３５ａに第１の紐３４ａを引っかける。ここで、図１１（ｂ）に示すように紐２４をくびれ部３５に半周回すのみでも良く、図１１（ｃ）に示すように１周、または図１１（ｄ）に示すようにそれ以上の回数回すこととしても良い。くびれ部３４に回す紐３４の周回数が多いほど、結束板３１と紐３４との結束が強固になる。次に図１２（ｂ）に示すように、書籍の表紙よりも内側のページ（天地巻き回しページ４１）部分を開いた状態にし、第１のくびれ部３５ａに引っかけた紐３４ａを天４と地５の方向からこの天地巻き回しページ４１を通して巻き回して、結束板３１の位置まで到達させる。第１のくびれ部と対角線方向の第２のくびれ部３５ｂにその紐３４ａを引っかける。くびれ部へ紐を回す回数は第１のくびれ部と同様である。第１のくびれ部３５ａと第２のくびれ部３５ｂ双方とも、天地巻き回しページに周回した紐の部分と反対側の紐部分が、紐３４ａの端部となる。紐３４ａの両方の端部を切り込み３６に掛けることにより、紐３４ａを切り込み３６に止めることができる。第１、第２のくびれ部とは別の第３のくびれ部３５ｃに第２の紐３４ｂを引っかけ、図１２（ｃ）に示すように、紐３４ｂを書籍の背６と小口７の方向から表紙２の上に巻き回して、第３のくびれ部と対角線方向の第４のくびれ部３５ｄにその紐３４ｂを引っかける。第２の紐３４ｂの両方の端部を切り込み３６に掛けて止める。この点は上記第１の紐と同様とすることができる。
【００４８】
本発明の紐３４は、書籍に巻き回した上である程度の張力で結束しておかないと、結束の意味を持たないこととなる。結束板３１に配置した切り込み３６に紐３４を止めるのみでは、紐３４を結束板３１に止めておくのに必要な張力を発揮することができない。それに対し、本発明においては紐３４をくびれ部３５に引っかけているので、くびれ部３５において紐３４に必要な張力を付与することができ、紐３４を切り込み３６に止めるのは単に紐３４の端部がくびれ部３５から外れないようにする機能のみとすることができる。
【００４９】
結束板３１の材質としては、プラスチック、紙、金属板の中から選択できる。紐３４の材質としては、ポリプロピレン、ナイロン、ポリエステルなどの合成樹脂紐、麻などの植物繊維紐、紙紐などから選択することができる。
【００５０】
第３の実施の形態の書籍立ち読み防止装置（第２の態様）について図１３、図１４に基づいて説明する。
【００５１】
第２の態様においては、結束板３２と紐３４とを用いる。結束板３２は放射状に４箇所に紐結束用杭４２を有する。紐結束用杭４２は、杭４３の頂部にリブ４４を有した形状である。２以上のリブ４４はその周部に紐の端部を止めるための切り込み３７を有する。まず、結束板３２を書籍の裏面３に配置する。第１の紐結束杭４２ａに紐３４を巻き回す。次に図１４（ａ）に示すように、書籍の表紙よりも内側のページ（天地巻き回しページ４１）部分を開いた状態にし、その紐３４を書籍の天地方向から天地巻き回しページ４１部分に巻き回して、結束板３２の位置まで到達させる。第１の紐結束杭と対角線方向の第２の紐結束杭４２ｂにその紐３４を巻き回し、さらにその紐３４を第２の紐結束杭に隣接する第３の紐結束杭４２ｃに巻き回す。その後図１４（ｂ）に示すように、その紐３４を書籍の背６と小口７の方向から表紙２の上に巻き回して、第３の紐結束杭と対角線方向の第４の紐結束杭４２ｄにその紐３４を巻き回す。第１の紐結束杭４２ａと第４の紐結束杭４２ｄにおいて、書籍に巻き回した紐３４の部分と反対側の紐部分が、紐３４の端部となる。紐３４の端部をリブに配置した切り込み３７に掛けることにより、紐３４を切り込み３７に止めることができる。図１３（ｃ）に示した例では、第１の紐結束杭４２ａに巻き回した側においては紐３４に当初から輪が形成されており、切り込み３７を使用していない。第４の紐結束杭４２ｄのみにおいて切り込み３７を用いて紐３４を止めている。
【００５２】
上記第１の態様と同様、本発明の紐３４は、書籍に巻き回した上である程度の張力で結束しておかないと、結束の意味を持たないこととなる。結束板３２に配置した切り込み３７に紐を止めるのみでは、紐を結束板に止めておくのに必要な張力を発揮することができない。それに対し、本発明においては紐を紐結束杭４２に巻き回しているので、紐結束杭４２において紐３４に必要な張力を付与することができ、紐３４を切り込み３７に止めるのは単に紐の端部が紐結束杭から外れないようにする機能のみとすることができる。
【００５３】
結束板３２の材質としては、プラスチック、紙、金属板の中から選択できる。紐３４の材質としては、ポリプロピレン、ナイロン、ポリエステルなどの合成樹脂紐、麻などの植物繊維紐、紙紐などから選択することができる。
【００５４】
第３の実施の形態の書籍立ち読み防止装置（第３の態様）について図１５、図１６に基づいて説明する。
【００５５】
第３の態様においては、結束板３３と２本の紐３４とを用いる。結束板３３は、厚みの薄い軸４５を軸より直径の大きい２枚のリブ板４６で挟んだ形状を有する。軸４５の厚みは、紐３４が２枚のリブ板４６の間から入り込んで軸４５に引っかかる程度の厚みとする。紐３４はその一部又は全部が伸び縮みする弾性体であり、紐３４の両方の端部が輪４７を形成する（図１５（ｃ））か又は紐３４自身が輪４８の形状（図１５（ｄ））である。紐の全体をゴム製とすると好ましい。まず図１６（ａ）に示すように、結束板３３を書籍の裏面３に配置する。結束板３３の２枚のリブ板４６の間に第１の紐３４ａの輪の部分を巻き回す。次に図１６（ｂ）に示すように、書籍の表紙よりも内側のページ（天地巻き回しページ４１）部分を開いた状態にし、その紐３４ａを書籍の天地方向から天地巻き回しページ４１部分に巻き回して、結束板３３の位置まで到達させる。紐３４の他方の端部の輪の部分を結束板３３の２枚のリブ板の間に巻き回す。さらに、結束板３３の２枚のリブ板の間に第２の紐３４ｂの輪の部分を巻き回し、図１６（ｃ）に示すように、紐３４ｂを書籍の背６と小口７の方向から表紙２の上に巻き回して、紐３４ｂの他方の端部の輪の部分を結束板３３の２枚のリブ板の間に巻き回す。
【００５６】
上記第３の実施の形態の第１〜第３態様のいずれも、書籍の表紙側には、紐３４が背６と小口７の方向に配置されているのみであり、書籍の表紙２部分はほとんど紐などによって遮蔽されていないので、陳列した書籍の商品価値を損なうことがない。また、書籍の天地及び小口の３方は紐３４によって封緘されているので、立ち読みは困難であり、また書籍に挟み込んだ付録６１が脱落することがない。単純に紐のみで結束する従来方法に比較し、作業をきわめて簡便化することができる。また、書籍の購入者が書籍を読むに際し、紐を切り込みから取り外し、あるいは弾性のある紐を結束板から取り外すことにより、直ちに書籍を読むことができ、かつ書籍にはなんら立ち読み防止装置が残存しないので、商品価値を損なうことがない。
【００５７】
結束板３３の材質としては、プラスチック、紙、金属板の中から選択できる。紐３４の伸び縮みする弾性体部分にはゴムを用い、それ以外の部分の材質としては、ポリプロピレン、ナイロン、ポリエステルなどの合成樹脂紐、麻などの植物繊維紐、紙紐などから選択することができる。
【００５８】
本発明の第３の実施の形態では、第１〜第３のいずれの態様においても、図１７（ａ）に示すように、天地巻き回しページ４１が表紙２の表面であることとしてもよい。表紙２において紐３４が十文字にかかっていても、書籍の商品価値をそれほど低下させないからである。
【００５９】
本発明の第３の実施の形態ではまた、第１〜第３のいずれの態様においても、図１７（ｂ）（ｃ）に示すように、結束板（３１、３２、３３）の表面に広告６２を印刷してなることとすると好ましい。書籍の裏面３に現れる結束板（３１、３２、３３）に広告６２を印刷しておくことにより、書籍を手に取った来店者の目に触れることができる。
【図面の簡単な説明】
【００６０】
【図１】本発明の第１の実施の態様の書籍立ち読み防止装置を示す斜視図である。
【図２】本発明の第１の実施の態様の結束帯を示す部分拡大図である。
【図３】本発明の第１の実施の態様の結束帯を示す部分拡大斜視図である。
【図４】本発明の第１の実施の態様の書籍立ち読み防止装置を示す斜視図である。
【図５】本発明の第２の実施の態様の書籍立ち読み防止装置を示す斜視図である。
【図６】本発明の第２の実施の態様の書籍立ち読み防止装置を示す斜視図である。
【図７】本発明の第２の実施の態様の書籍立ち読み防止装置を示す斜視図である。
【図８】本発明の第２の実施の態様の書籍立ち読み防止装置を示す斜視図である。
【図９】本発明の第２の実施の態様の書籍立ち読み防止装置を示す斜視図である。
【図１０】本発明の第２の実施の態様の書籍立ち読み防止装置を示す斜視図である。
【図１１】本発明の第３の実施の態様の結束板を示す図である。
【図１２】本発明の第３の実施の態様の書籍立ち読み防止装置を示す斜視図である。
【図１３】本発明の第３の実施の態様の結束板を示す図であり、（ａ）は平面図、（ｂ）はＡ−Ａ矢視断面図、（ｃ）は紐を結束した状況を示す図である。
【図１４】本発明の第３の実施の態様の書籍立ち読み防止装置を示す斜視図である。
【図１５】本発明の第３の実施の態様の結束板を示す図あり、（ａ）は平面図、（ｂ）はＡ−Ａ矢視図、（ｃ）（ｄ）は紐の形状を示す図である。
【図１６】本発明の第３の実施の態様の書籍立ち読み防止装置を示す斜視図である。
【図１７】本発明の第３の実施の態様の書籍立ち読み防止装置を示す斜視図である。
【符号の説明】
【００６１】
１  書籍
２  表紙
３  裏表紙（裏面）
４  天
５  地
６  背
７  小口
１１  結束帯
１２  帯
１３  十文字交差部分
１４  広面部分
１５  スリット
１６  表紙よりも内側のページ
１７  ポケット
１８  葉書
２１  二重帯
２２  一方の帯
２３  他方の帯
２４  幅広テープバンド
２５  帯
２６  途中ページ
２７  第１巻き回しページ
２８  第２巻き回しページ
２９  中間折り込みページ
３０  折り込み部
３１、３２、３３  結束板
３４  紐
３５  くびれ部
３６、３７、３８  切り込み
４１  天地巻き回しページ
４２  結束用杭
４３  杭
４４  リブ
４５  軸
４６  リブ板
４７、４８  輪
６１  付録
６２  広告
【図１】
2007253514.tif 000003
【図２】
2007253514.tif 000004
【図３】
2007253514.tif 000005
【図４】
2007253514.tif 000006
【図５】
2007253514.tif 000007
【図６】
2007253514.tif 000008
【図７】
2007253514.tif 000009
【図８】
2007253514.tif 000010
【図９】
2007253514.tif 000011
【図１０】
2007253514.tif 000012
【図１１】
2007253514.tif 000013
【図１２】
2007253514.tif 000014
【図１３】
2007253514.tif 000015
【図１４】
2007253514.tif 000016
【図１５】
2007253514.tif 000017
【図１６】
2007253514.tif 000018
【図１７】
2007253514.tif 000019